(57)【要約】【課題】  シートを挿入する開口の向きの如何にかかわらず、ローラー等の転子がシートを押さえ止めるので、シートの上端ばかりでなく、下端や両横端にも使用でき、しかも、転子の押圧解除操作を都合良くなし得るシート保持具を提供する。【解決手段】  シートが挿入される内部空間を保有する保持具本体を主体として、その中に内装されるシート押えのローラー等の転子と、転子が回動可能に軸承されるようそれを上下可能に支持するスライダーと、スライダーを下方に付勢する弾性材とを具備し、保持具本体については、転子が遊回する余裕のある内部空間の間隔を保持する前面壁と後面壁とを上端の閉塞壁を介して一体成形するとともに、下端のシート挿入開口に順次内部空間が狭くなるように、前面壁と後面壁との少なくとも一方を傾斜して形成した。【選択図】    図１
2005219292.tif 000002
【特許請求の範囲】
【請求項１】
シートが挿入される内部空間を保有する保持具本体を主体として、その中に内装されるシート押えのローラー等の転子と、転子が回動可能に軸承されるようそれを上下可能に支持するスライダーと、スライダーを下方に付勢する弾性材とを具備し、保持具本体については、転子が遊回する余裕のある内部空間の間隔を保持する前面壁と後面壁とを上端の閉塞壁を介して一体成形するとともに、下端のシート挿入開口に順次内部空間が狭くなるように、前面壁と後面壁との少なくとも一方を傾斜して形成したことを特徴とするシート保持具。
【請求項２】
保持具本体の後面壁の上部に背後への突片を形成し、前記操作部とスライダーとの間にそれを下方へ付勢する弾性材を介在させ、スライダーに指掛け可能に背後に突出する操作部を設けたことを特徴とする請求項１記載のシート保持具。
【請求項３】
転子を円筒形に形成し、転子の内径よりも細い遊軸で軸承し、スライダーにその遊軸を架設する支持片を突設し、支持片にシートを転子の前または後ろへ案内するガイド縁を形成したことを特徴とする請求項１又は２記載のシート保持具。
【発明の詳細な説明】
【技術分野】
【０００１】
この発明は、書類やメモ書き、さらにはポスターや垂れ幕等のシートを展示張りする場合に、内装ローラー等の転子の押圧により端を止めて保持できるシート保持具に関する。
【背景技術】
【０００２】
従来、この種のシート保持具は、垂直な基板の前面を覆うように逆Ｌ字形の抱持板を突設してその間にローラーが内装される内部空間を設けるとともに、その抱持板を下に行くにつれて基板に接近させて、下端にシートの挿入部開口をローラーが脱出しない狭い幅において形成したものであった。
【０００３】
このシート保持具によれば、シートを挿入開口から基板とローラーとの間に差し込めばローラーがその力で持ち上がることによりシートの差し込みに応じ、シートから手を放すと、ローラーがその自重で基板に押圧してシートを挟むので、シートが脱落しないように保持される。しかし、ローラーの自重が下端の開口方向に働くことによりシートを挟むものであるため、開口が上向きとなるようにシートの下端に使ったり、横向きとなるように両側端に使ったりすることはできなかった。
【０００４】
この問題を解決するために、内部空間にローラーを開口方向へ付勢するバネを内装した提案が見られ、これによると、開口の向きの如何にかかわらずシートがローラーで押さえ止められることになる。しかし、いずれにしても、シートを引き抜こうとする力によりローラーが擦り下げられるために、無理に抜こうとするとシート紙が破れることがあり、取り外しに不都合であった。
【０００５】
この点については、基板と抱持板との両方に対するローラーの同時押圧を解除し得るように、本体に解除ボタンを設けたり、ローラーに前で操作する解除摘みを取り付けたりする手段が設けられる。しかし、この時に解除操作する側の手とは別の他方の手で本体を保持している必要があり、シートを出し入れする手がなくなり不都合であり、しかも、操作の確実性が得られ難く、また、解除ボタンや解除摘みが前面から見えるという体裁上の問題もあった。
【０００６】
【特許文献１】実開昭５７−１１８７８５
【特許文献２】実開平２−１４６６９１
【特許文献３】実開平３−６７１６５
【特許文献４】実開平４−４０８５２
【発明の開示】
【発明が解決しようとする課題】
【０００７】
この発明は、上記のような実情に鑑みて、シートを挿入する開口の向きの如何にかかわらず、ローラー等の転子がシートを押さえ止めるので、シートの上端ばかりでなく、下端や両横端にも使用でき、しかも、転子の押圧解除操作を都合良くなし得るシート保持具を提供することを課題とした。
【課題を解決するための手段】
【０００８】
上記の課題を解決するために、この発明は、シートが挿入される内部空間を保有する保持具本体を主体として、その中に内装されるシート押えのローラー等の転子と、転子が回動可能に軸承されるようそれを上下可能に支持するスライダーと、スライダーを下方に付勢する弾性材とを具備し、保持具本体については、転子が遊回する余裕のある内部空間の間隔を保持する前面壁と後面壁とを上端の閉塞壁を介して一体成形するとともに、下端のシート挿入開口に順次内部空間が狭くなるように、前面壁と後面壁との少なくとも一方を傾斜して形成したことを特徴とするシート保持具を提供するものである。
【０００９】
シート保持具を上記のように構成したから、ローラー等の転子がバネなどの弾性材の弾力によりシートの挿入開口の方向へ常時押しつけられているため、挿入開口の向きの如何に関わらず方向自在に使用でき、したがって、シートやペーパー等を上部保持に使用できることはもちろん、上下保持で上下展張、両横端保持で左右展張に使用でき、さらに均等に上下左右に展張するためにも使用できる。また、シートを挿入する時や、シートを引く抜く時には、スライダーを持ち上げて転子の押しつけを解除してシートを前面壁（又は後面壁）と転子との間に挿入する。その際に、上端に突片があると、それとスライダーとに片手の指（例えば親指と人指し指）を掛けて両方を共に摘むようにしてスライダーを容易に持ち上げ操作をなし得る（請求項２）。したがって、他方の手をシートの出し入れに使用できる。
【発明の効果】
【００１０】
以上説明したように、この発明のシート保持具によれば、シートを挿入する開口の向きの如何にかかわらず、ローラー等の転子がシートを押さえ止めるので、シートの上端ばかりでなく、下端や両横端というように箇所を選ばず自由な箇所を止めることができ、しかも、転子の押圧解除操作を片手でなし得るために、他方の手をシートの出し入れに自由に使用できて好都合であるという優れた効果がある。また、操作部が裏面にあるので、表面が意匠的にスッキリして間映えが良い。
【発明を実施するための最良の形態】
【００１１】
図１ないし図６は一実施の形態を示したもので、そのシート保持具Ｈは、保持具本体１を主体として、それにローラーの転子３を内装するだけでなく、転子３を保持するとともに下部摘みとなるスライダー５と、スライダー５を下方に付勢するバネ７とが装着される。
【００１２】
保持具本体１は、転子３が遊回し得る余裕のある内部空間１１を有する押出形材を切断して形成されたもので、その内部空間１１を保有するための前面壁９と後面壁１０とが上端の閉塞壁１２を介して一体に形成され、閉塞壁１２の延長に上部摘みとなる突片１４が設けてあって、閉塞壁１２から前面壁９が湾曲して接続され下端に行くにつれて後面壁１０に近づくように傾斜し、下端の挿入開口１３からシートＰを差し入れやすいように下端口縁９ａが垂直になっている。また、閉塞壁１２の上面には、吊り紐等Ｔの結合片２２が突設され、それが押出形材の段階では突条である部分を切削して半円のアーチ形に形成される。
【００１３】
転子３には挿入開口１３の幅よりも径の大きい円筒形のローラーが使用され、その内径よりも小さい遊軸１８を通し、遊軸１８の両端がスライダー５に架設される。したがって、スライダー５に不測に衝撃が加わっても、遊軸１８の遊びにより衝撃が転子３に緩和されて伝わるために、衝撃によりシートＰが抜ける不都合が防止される。
【００１４】
スライダー５は、転子３とで後面壁１０を挟んでそれに沿って上下するように、一体の金属板にプレス加工を施すことにより形作ったもので、後面壁１０の背面に当接する背後片１９の両端に前方へ前記遊軸１８の支持片２１，２１を屈折して形成してある一方、後ろには下摘みとして箱型の操作部２０が形成される。その操作部２０については、背後片１９の下端に後ろへ反転して立ち上がるＬ字形の屈折片２３を形成し、屈折片２３の立ち上がり部分の両端に側片２５，２５を屈折して形成してある。そして、左右一対のバネ７，７を操作部２０に入れてその底部と突片１４との間に両バネ７，７が介在させてある。
【００１５】
バネ７にはＵピンが連続するように左右に幅広い螺旋形状の異形のコイルスプリングが使用されるが、均等に作用すればその形態の如何を問わないし、ゴム等の弾性材であっても良い。これらの弾力により転子３が押し下げられて傾斜面の前面壁９内面に常時圧接し接触している（図１，図２）。したがって、シートＰを押さえるには、その接触を解除する必要がある。
【００１６】
遊軸１８が架設される支持片２１，２１には、挿入開口１３から前面壁９の方向へ高く傾斜するガイド縁２７，２７が形成されているので、挿入開口１３からシートＰを差し込むと転子３の前側に案内されるので、その時にスライダー５により転子３を持ち上げて前面壁９との接触を解除してあると（図４）、前面壁９との間に生じた隙間にシートＰが差し込まれ、この時に転子３の回転が伴うので差し込みに抵抗が生じない。そして、差し込みが終わってから、スライダー５をバネ７の弾力に任せて押し下げると、同時に下がった転子３によりシートＰが前面壁９に押しつけられて固定する（図３，図５）。
【００１７】
シートＰに取り付けた状態において、シートＰに抜ける力が加わった時には、その引く力が転子３を下に引き込むことになるので、ますます転子３がシートＰを押圧して定着が強固となるため、決してシートＰは抜けることはない。したがって、シートＰを抜き取るときには、スライダー５を持ち上げて押圧を解除する。図４は、シートＰを挿入するときと、引き抜くときとにおいて、転子３の押圧を解除した状態を示したもので、この時、片手３０の指で突片１４とスライダー５の操作部２０を同時に摘んでスライダー５を引き上げている。
【００１８】
図５では、α方向へシートＰを引くことで、転子３がＡ点でＢ点を支点としてＣ方向へ回転し、前面壁９の傾斜面とでシートＰを確実に挟んでいる状態を示す。そして、解除はＤ方向へローラーを押し上げることで解除となる。
【００１９】
図６および図７は、鎖、線材、紐等Ｔでシート保持具Ｈを引っ張ることにより、シートＰを展示張りした状態を示したもので、シート保持具Ｈは、シートＰの吊り下げに使用できるばかりでなく、図示の如く、上下、左右、さらには、斜めに取り付けてというように、方向自在に使用できる。
【００２０】
（他の実施形態について）
１．スライダー５に有する遊軸１８の支持片２１，２１は、前記実施形態ではシートＰを転子３の前に案内するようにしたが、シートＰの端を受け入れる逆Ｕ字形にすれば、転子３の後ろへ案内して後面壁１０との間で挟むようになし得る。いずれにしても、前面壁９と後面壁１０との両方または一方を傾斜させて転子３の押圧状態が得られる。
【００２１】
２．バネ７は操作部２０に納まって脱出しないよう保持されるが、特に箱形でない場合には、突片１４と操作部２０またはそれに相当する片とに切欠穴を設けてバネ７を掛止する。
【００２２】
３．前記実施形態では、保持具本体１に紐等Ｔの結合片２２を設けたが、これとは違って、壁面にスライダー５で取り付けるために、スライダー５の背面を両面接着テープで壁面に接着して、シート保持具Ｈを使用するようにしても良い。図８は、壁面がパネル３３であって、保持具本体１が文鎮のように長尺である場合を示した。なお、このような場合には、スライダー５が相対的に持ち上がるように、保持具本体１を下げてシートＰの出し入れ操作をすることになる。
【図面の簡単な説明】
【００２３】
【図１】この発明の一実施の形態を示すシート保持具の斜視図である。
【図２】同シート保持具の側面図である。
【図３】シートを転子が押圧している使用状態を示す同シート保持具の縦断面図である。
【図４】シートを差し入れ又は引き抜くときの操作を示す同シート保持具の縦断面図である。
【図５】シートと転子の動作相互関係を示す同保持具の一部拡大断面図である。
【図６】この発明のシート保持具の取り付け位置の例を示す説明図である。
【図７】同じく他の取り付け位置の説明図である。
【図８】他の実施の形態におけるシート保持具の使用状態を示すパネルの正面図である。
【符号の説明】
【００２４】
Ｈ  シート保持具
Ｐ  シート
１  保持具本体
３  転子
５  スライダー
７  バネ（弾性材）
９  前面壁
１０  後面壁
１１  内部空間
１２  閉塞壁
１３  挿入開口
１４  突片
１８  遊軸
２０  操作部
２１  支持片
２７  ガイド縁
【図１】
2005219292.tif 000003
【図２】
2005219292.tif 000004
【図３】
2005219292.tif 000005
【図４】
2005219292.tif 000006
【図５】
2005219292.tif 000007
【図６】
2005219292.tif 000008
【図７】
2005219292.tif 000009
【図８】
2005219292.tif 000010